(57)【要約】【課題】  マージナルワッシャの皺や破断、弾性によるレンズ浮き上がりの影響を緩和し、さらにカシメ時のレンズへのモーメント応力の影響も緩和することを可能にしたレンズ固定絞りを提供すること。【解決手段】  外径に複数の切り欠きを有するシート部材と、前記シート部材を挟持し互いに突き当てられている二つのレンズと前記二つのレンズと前記シート部材を保持するレンズ保持部材と 、を有する構成において、 前記、シート部材切り欠きの内側の径が前記二枚のレンズの突き当て径よりも内側にあることを特徴とする構成とした。【選択図】  図２
2013037305.tif 000002
【特許請求の範囲】
【請求項１】
外径に複数の切り欠きを有するシート部材と、 
前記シート部材を挟持し互いに突き当てられている二つのレンズと、 
前記二つのレンズと前記シート部材を保持するレンズ保持部材と 
を有する構成において、 
前記シート部材切り欠きの内側の径が前記二枚のレンズの突き当て径よりも内側にあることを特徴とするレンズ固定装置。
【請求項２】
前記レンズ保持部材に前記二つのレンズのうち一つのレンズが突き当てられる複数の保証面が設けられており、 
前記複数の保証面すべてに前記シート部材の切り欠きの無い箇所が少なくとも一つ乗っていることを特徴とする請求項１に記載のレンズ固定装置。
【請求項３】
前記レンズ保持部材の複数の保証面の幅は、前記シート部材の切り欠きの幅よりも広いことを特徴とする請求項２に記載のレンズ固定装置。
【請求項４】
前記シート部材と前記レンズ保持部材には互いに回転位置決め手段となる形状を有することを特徴とする請求項１乃至請求項４の何れか１項に記載のレンズ固定装置。
【請求項５】
前記回転位置決め手段は、前記シート部材の切り欠きの無い箇所より外側に突出した二つ以上の突出部と、前記レンズ保持部材に設けられた前記二つのレンズのうち少なくとも一つの外径が嵌合する嵌合突起とでなされていることを特徴とする請求項４に記載のレンズ固定装置。
【発明の詳細な説明】
【技術分野】
【０００１】
本発明は、レンズ保持部に少なくとも二つのレンズを保持し、二つのレンズの光軸方向の間隔を良好に保つことができるレンズ装置に関し、特に二つのレンズに挟持されるシート部材に関するものである。
【背景技術】
【０００２】
従来マージナルコンタクトと称される二枚のレンズの面同士を突き当ててレンズ鏡筒に同時に組付けるレンズの固定方法が知られている。マージナルコンタクトは二枚のレンズの空気間隔を狭めることができる、二枚のレンズの内一つのレンズをレンズ鏡筒に突き当てるのみで組付けることができる、といった利点があり様々な光学系で利用されており数多くの工夫がなされている。
【０００３】
例えば、特許文献１では黒色シートをドーナツ形状体（以下マージナルワッシャ）とし、二枚のレンズの間に挟持させるレンズ装置が開示されている。このマージナルコンタクトではレンズをレンズ鏡筒に組付ける際に、有効径外から入ってくる有害光の遮断、二枚のレンズの突き当て時の摩擦軽減、応力集中緩和といった効果がある。しかしながら、受け側レンズの曲率が小さい場合には皺や破断が発生し、レンズをカシメ固定する際、マージナルワッシャの弾性が強いため突き当て側のレンズが浮き上がる等の問題がある。
【０００４】
この問題の対策案として特許文献２ではレンズ鏡筒に保持された二枚のレンズに挟持されるマージナルワッシャの外径に複数の切り欠き形状を設け、二枚のレンズの突き当て径をマージナルワッシャの切り欠きより内径とする方法が開示されている。（以下この形状を櫛歯マージナルワッシャと呼ぶ）特許文献１のシート部材の皺や破断、カシメ時のシート部材の弾性によるレンズ浮き上がりを防止することができるレンズ装置となっている。
【先行技術文献】
【特許文献】
【０００５】
【特許文献１】特開昭６３−３９２０３号公報
【特許文献２】特開平８−２４０７５７号公報
【発明の概要】
【発明が解決しようとする課題】
【０００６】
しかしながら、上述の特許文献２に開示された従来技術では、レンズ突き当て径を櫛歯マージナルワッシャの切り欠き内側よりさらに内側に設ける必要がある。近年、カシメ固定時にレンズが歪んでしまうという問題が発生している。カシメ固定をする際のカシメ爪はレンズ最外径と略同径にあり、レンズ突き当て径はカシメ爪の径に近いほどカシメ時のレンズへのモーメント応力が緩和される。よって、レンズ突き当て径は外径側に設けるのがレンズ歪みを防げる構成となることが知られている。
【０００７】
しかし、特許文献２ではレンズ突き当て径が外側になるほど櫛歯マージナルワッシャの切り欠き内側も外側へと設けることとなり、櫛歯マージナルワッシャの皺や破断、弾性によるレンズ浮き上がりの影響が多大にでてしまう。
【０００８】
そこで、本発明の目的は、マージナルワッシャの皺や破断、弾性によるレンズ浮き上がりの影響を緩和し、さらにカシメ時のレンズへのモーメント応力の影響も緩和することを可能にしたレンズ固定絞りを提供することである。
【課題を解決するための手段】
【０００９】
上記目的を達成するために、本発明は、外径に複数の切り欠きを有するシート部材と、前記シート部材を挟持し互いに突き当てられている二つのレンズと、前記二つのレンズと前記シート部材を保持するレンズ保持部材とを有する構成において、前記、シート部材切り欠きの内側の径が前記二枚のレンズの突き当て径よりも内側にあることを特徴とする。
【発明の効果】
【００１０】
本発明によればマージナルワッシャの皺や破断、弾性によるレンズ浮き上がりの影響を緩和し、さらにカシメ時のレンズへのモーメント応力の影響も緩和することを可能にしたレンズ固定絞りを提供することができる。
【図面の簡単な説明】
【００１１】
【図１】実施例１のレンズ固定装置断面図
【図２】実施例１の図１要所部拡大図
【図３】実施例１の櫛歯マージナルワッシャ単独図
【図４】実施例１のレンズ突き当て保証面説明図
【図５】実施例２のレンズ固定装置断面図
【図６】実施例２の図５要所部拡大図
【図７】実施例２の櫛歯マージナルワッシャ単独図
【図８】実施例２のレンズ突き当て保証面説明図
【発明を実施するための形態】
【００１２】
［実施例１］
以下、図１〜図４を参照して、本発明の第1の実施例による、レンズ固定装置について説明する。
【００１３】
図１は実施例１によるレンズ固定装置の断面図となっている。また、図２は図１の要所箇所を拡大した図となっている。実施例１のレンズ固定装置はレンズ１〜３をカシメ固定することによりレンズ鏡筒５によって保持されている。レンズ２、レンズ３は櫛歯マージナルワッシャ４をレンズ間の平面で挟持し、レンズ２が複数の突き当て保証面５aに突き当てられカシメ固定されている。櫛歯マージナルワッシャ４を挟持しているレンズ２、レンズ３の突き当て径は径６より外側で平面となっており、平面で挟持することでレンズの倒れ、カシメ時のレンズへの応力緩和に貢献している。櫛歯マージナルワッシャ４は４c近傍ではレンズ曲率に沿った形に屈曲されるが、前述のようにレンズ２、レンズ３の突き当て径は径６より外側では平面となっている。
【００１４】
よって櫛歯マージナルワッシャ４は絞られた形状となるのだが、図３の櫛歯マージナルワッシャ単独図のように切り欠き４bが設けられていることで弛みを吸収し、皺や破断、レンズの浮き上がりを防いでいる。この切り欠き４bはレンズ２、レンズ３の突き当て径６より内径にまで切り欠かれることにより皺や破断、レンズの浮き上がりを防ぐ効果を多大にとることができる。
【００１５】
図４の(a)はレンズ鏡筒５の光軸方向からの正面図となっており、レンズ２の突き当て保証面５aの様子を示す図となっている。図４の(b)は(a)に櫛歯マージナルワッシャ４を加えた図となっている。本実施例では櫛歯マージナルワッシャ４の切り欠き４bの幅をレンズ鏡筒５aの突き当て保証面の幅より狭くする構成となっている。この構成により櫛歯マージナルワッシャ４の切り欠きの無い箇所４aが確実に突き当て保証面５aと重なることとなる。よって突き当て保証面と同位相に櫛歯マージナルワッシャが無いことによるレンズの倒れ、カシメ時のレンズ沈み込みを防ぐことが可能となる。
【００１６】
［実施例２］
以下、図５〜図８を参照して、本発明の第２の実施例による、レンズ固定装置について説明する。
【００１７】
図５は実施例１によるレンズ固定装置の断面図となっている。また、図６は図５の要所箇所を拡大した図となっている。実施例２のレンズ固定装置はレンズ７〜９をカシメ固定することによりレンズ鏡筒１１によって保持されている。レンズ８、レンズ９は櫛歯マージナルワッシャ１０を切り欠き１０bより外側にある径１１で突き当て挟持し、レンズ７が複数の突き当て保証面１１aに突き当てられカシメ固定されている。１１bはレンズ９の嵌合保証突起となっており、レンズ８の突き当て保証面１１aと同位相に複数設けられている。
【００１８】
図７のように櫛歯マージナルワッシャ１０には切り欠き１０bが設けられており、実施例１と同様マージナルワッシャの絞られた形状に対する皺や破断、レンズの浮き上がりを防ぐことができるようになっている。また、櫛歯マージナルワッシャ１０には回転位置決め手段となる突起形状１０cが二つ以上設けられている。この突起形状１０cは図８のようにレンズ鏡筒１１のレンズ９嵌合突起１１bを挟みこみ櫛歯マージナルワッシャ１０の回転止め及び位置決めとなっている。
【００１９】
以上の構成により突起形状１０cに挟まれた、切り欠かれていない１０aの部分がレンズ鏡筒１１の突き当て保証面１１aと重なることとなる。よって突き当て保証面と同位相に櫛歯マージナルワッシャが無いことによるレンズの倒れ、カシメ時のレンズ沈み込みを防ぐことが可能となる。
【００２０】
以上、本発明の好ましい実施形態について説明したが、本発明はこれらの実施形態に限定されず、その要旨の範囲内で種々の変形及び変更が可能である。
【符号の説明】
【００２１】
２      レンズ
３      レンズ
４      櫛歯マージナルワッシャ
４a      櫛歯マージナルワッシャ４の切り欠かれていない箇所
４b      櫛歯マージナルワッシャ４の切り欠かれている箇所
５      レンズ鏡筒
５a    レンズ鏡筒５のレンズ突き当て保証面
６      レンズ２、レンズ３の突き当て径
８      レンズ
９      レンズ
１０    櫛歯マージナルワッシャ
１０a    櫛歯マージナルワッシャ１０の切り欠かれていない箇所
１０b    櫛歯マージナルワッシャ１０の切り欠かれている箇所
１１    レンズ鏡筒
１１a    レンズ鏡筒１１のレンズ突き当て保証面
１１b    レンズ鏡筒１１のレンズ嵌合突起
１２    レンズ８、レンズ９の突き当て径
【図１】
2013037305.tif 000003
【図２】
2013037305.tif 000004
【図３】
2013037305.tif 000005
【図４】
2013037305.tif 000006
【図５】
2013037305.tif 000007
【図６】
2013037305.tif 000008
【図７】
2013037305.tif 000009
【図８】
2013037305.tif 000010